(57)【特許請求の範囲】
【請求項１】
所定の光源から射出された照明光を板状部材の端面から入射し、前記照明光を屈曲して前記板状部材の出射面より出射するサイドライト型面光源装置において、
前記板状部材は、
前記端面より遠ざかるに従って板厚が徐々に薄くなり、
前記出射面、又は前記出射面と対向する面に、前記端面と略直交する方向に延長する１対の斜面を有する凸部が、前記端面と略平行な方向に繰り返し形成され、
前記出射面、又は前記出射面側と対向する面の、少なくとも前記端面に沿った領域に、前記照明光を散乱させる光散乱パターンが複数形成され、
前記光散乱パターンは、
最大幅が８０〔μｍ〕以下に形成され、
単位面積当たりの個数が、前記端面より遠ざかるに従って減少するように形成された
ことを特徴とするサイドライト型面光源装置。
【請求項２】
前記光散乱パターンは、
前記端面側において、隅部に向かう程、単位面積当たりの個数が増大するように形成された
ことを特徴とする請求項１に記載のサイドライト型面光源装置。
【請求項３】
前記光散乱パターンは、
前記出射面、又は前記出射面側と対向する面を、部分的に粗面にして形成された
ことを特徴とする請求項１又は請求項２に記載のサイドライト型面光源装置。
【請求項４】
前記光散乱パターンは、
光散乱性のインクを付着して形成された
ことを特徴とする請求項１又は請求項２に記載のサイドライト型面光源装置。
【請求項５】
前記光散乱パターンは、
規則的に配置された
ことを特徴とする請求項１、請求項２、請求項３又は請求項４に記載のサイドライト型面光源装置。
【請求項６】
前記光散乱パターンは、
不規則に配置された
ことを特徴とする請求項１、請求項２、請求項３又は請求項４に記載のサイドライト型面光源装置。
【請求項７】
前記光散乱パターンは、
直交する特定の２方向について配列を観察したとき、一の方向に比して、他の方向において不規則な配置の程度が増大するように配置された
ことを特徴とする請求項６に記載のサイドライト型面光源装置。
【請求項８】
前記他の方向は、
前記出射面側に配置されるカラー液晶表示パネルにおいてカラーフィルタが順次循環的に繰り返されてなる方向である
ことを特徴とする請求項７に記載のサイドライト型面光源装置。
【請求項９】
前記サイドライト型面光源装置は、
前記出射面より出射する前記照明光をカラーフィルタを配置した液晶表示パネルに供給し、
前記光散乱パターンは、
局所的に、前記カラーフィルタを構成する特定色のカラーフィルタに数が偏って重なり合わないように、不規則に配置された
ことを特徴とする請求項１、請求項２、請求項３又は請求項４に記載のサイドライト型面光源装置。
【請求項１０】
請求項１、請求項２、請求項３、請求項４、請求項５、請求項６、請求項７、請求項８又は請求項９に記載のサイドライト型面光源装置により液晶表示パネルを照明する
ことを特徴とする液晶表示装置。
【請求項１１】
所定の光源から射出された照明光を端面から入射し、前記照明光を屈曲して出射面より出射する導光板において、
前記端面より遠ざかるに従って板厚が徐々に薄くなり、
前記出射面、又は前記出射面と対向する面に、前記端面と略直交する方向に延長する１対の斜面を有する凸部が、前記端面と略平行な方向に繰り返し形成され、
前記出射面、又は前記出射面側と対向する面の、少なくとも前記端面に沿った領域に、前記照明光を散乱させる光散乱パターンが複数形成され、
前記光散乱パターンは、
最大幅が８０〔μｍ〕以下に形成され、
単位面積当たりの個数が、前記端面より遠ざかるに従って減少するように形成された
ことを特徴とする導光板。
【請求項１２】
前記光散乱パターンは、
前記端面側において、隅部に向かう程、単位面積当たりの個数が増大するように形成された
ことを特徴とする請求項１１に記載の導光板。
【請求項１３】
前記光散乱パターンは、
前記出射面、又は前記出射面側と対向する面を、部分的に粗面にして形成された
ことを特徴とする請求項１１又は請求項１２に記載の導光板。
【請求項１４】
前記光散乱パターンは、
光散乱性のインクを付着して形成された
ことを特徴とする請求項１１又は請求項１２に記載の導光板。
【請求項１５】
前記光散乱パターンは、
規則的に配置された
ことを特徴とする請求項１１、請求項１２、請求項１３又は請求項１４に記載の導光板。
【請求項１６】
前記光散乱パターンは、
不規則に配置された
ことを特徴とする請求項１１、請求項１２、請求項１３又は請求項１４に記載の導光板。
【請求項１７】
前記光散乱パターンは、
直交する特定の２方向について配列を観察したとき、一の方向に比して、他の方向において不規則な配置の程度が増大するように配置された
ことを特徴とする請求項１６に記載の導光板。
【請求項１８】
前記他の方向は、
前記出射面側に配置されるカラー液晶表示パネルにおいてカラーフィルタが順次循環的に繰り返されてなる方向である
ことを特徴とする請求項１７に記載の導光板。
【請求項１９】
前記導光板は、
前記出射面より出射する前記照明光をカラーフィルタを配置した液晶表示パネルに供給し、
前記光散乱パターンは、
局所的に、前記カラーフィルタを構成する特定色のカラーフィルタに数が偏って重なり合わないように、不規則に配置された
ことを特徴とする請求項１１、請求項１２、請求項１３又は請求項１４に記載の導光板。
【発明の詳細な説明】
【０００１】
【発明の属する技術分野】
本発明は、サイドライト型面光源装置、液晶表示装置及び導光板に関し、特に入射面より遠ざかるに従って板状部材の板厚が薄くなるように形成されたサイドライト型面光源装置と、このサイドライト型面光源装置による液晶表示装置、このサイドライト型面光源装置の導光板に適用するものである。本発明は、板状部材の出射面又はこの出射面と対向する面に形成する光散乱パターンを、最大幅８０〔μｍ〕以下により、入射面から遠ざかるに従って減少するように形成することにより、板状部材の出射面又は裏面にプリズム面を形成する場合でも、光散乱パターンを知覚困難にして均一な照明光を出射できるようにし、これにより高品位の照明光を出射する。
【０００２】
また液晶表示パネルのカラーフィルタに対して、局所的に、特定色のカラーフィルタに光散乱パターンが偏って重なり合わないように、光拡散パーンを不規則に配置することにより、高品位の表示画像を形成できるようにする。
【０００３】
【従来の技術】
従来、例えば液晶表示装置においては、サイドライト型面光源装置により液晶表示パネルを照明し、これにより全体形状を薄型化するようになされている。
【０００４】
すなわちサイドライト型面光源装置は、棒状光源でなる一次光源を板状部材（すなわち導光板でなる）の端部に配置し、この一次光源より出射される照明光を導光板の端面より導光板に入射する。さらにサイドライト型面光源装置は、この照明光を屈曲して、導光板の平面より液晶表示パネルに向けて出射し、これにより全体形状を薄型化できるようになされている。
【０００５】
このようなサイドライト型面光源装置は、ほぼ均一な板厚により導光板を形成した方式のものと、一次光源より遠ざかるに従って導光板の板厚を徐々に薄く形成した形式のものとがあり、後者は、前者に比して効率良く照明光を出射することができる。
【０００６】
図２０は、この後者のサイドライト型面光源装置１の一例を示す分解斜視図であり、図２１は、図２０をＡ−Ａ線で切り取って示す断面図である。このサイドライト型面光源装置１は、導光板でなる光散乱導光板２の端部に一次光源３を配置し、反射シート４、光散乱導光板２、光制御部材でなるプリズムシート５及び６を順次積層して形成される。
【０００７】
一次光源３は、冷陰極管でなる蛍光ランプ７の周囲を、リフレクタ８で囲って形成され、リフレクタ８の開口側より光散乱導光板２の端面（以下入射面と呼ぶ）２Ａに照明光を入射する。ここでリフレクタ８は、入射光を正反射又は乱反射する例えばシート材により形成される。
【０００８】
反射シート４は、金属箔等でなるシート状の正反射部材、又は白色ＰＥＴフィルム等でなるシート状の乱反射部材により形成され、光散乱導光板２より漏れ出す照明光を反射して光散乱導光板２に入射し、これにより照明光の利用効率を向上させる。
【０００９】
光散乱導光板２は、断面楔型形状の導光板で、例えばポリメチルメタクリレート（ＰＭＭＡ）からなるマトリックス中に、これと屈折率の異なる透光性の微粒子が一様に分散混入されて形成される。これにより光散乱導光板２は、一次光源３側端面でなる入射面２Ａより照明光Ｌを入射し、透光性の微粒子により散乱させながら、また乱反射部材による反射シート４を適用した場合は、この反射シート４により一部乱反射させながら、反射シート４側面（以下裏面と呼ぶ）２Ｂとプリズムシート６側平面（以下出射面と呼ぶ）２Ｃとの間を繰り返し反射して照明光Ｌを伝搬する。
【００１０】
この伝搬の際に、照明光Ｌは、裏面２Ｂで反射する毎に出射面２Ｃに対する入射角が低下し、出射面２Ｃに対して臨界角以下の成分が出射面２Ｃより出射される。この出射面２Ｃより出射される照明光Ｌは、光散乱導光板２の内部において透光性の微粒子により散乱され、反射シート４により乱反射して伝搬すること等により散乱光により出射される。しかしながらこの照明光Ｌは、出射面２Ｃに対して伝搬方向に傾いて形成された裏面２Ｂを反射して伝搬し、臨界角以下の成分が射出されることにより、主たる出射方向が楔型形状の先端方向に傾いて形成される。すなわち光散乱導光板２からの出射光Ｌが指向性を有するようになり、これによりサイドライト型面光源装置１は、指向出射性を有するようになる。
【００１１】
プリズムシート５及び６は、この光散乱導光板２の指向性を補正するために配置される。すなわちプリズムシート５及び６は、ポリカーボネート等の透光性のシート材で形成され、プリズムシート５は、光散乱導光板２と対向する面にプリズム面が形成され、またプリズムシート６は、プリズムシート５と対向する側とは反対側の面（上側の面）にプリズム面が形成される。このプリズム面は、一方向にほぼ平行に延長する断面三角形形状の突起が繰り返されて形成され、光散乱導光板２側のプリズムシート５は、この突起が入射面２Ａとほぼ平行に延長するように、プリズムシート６は、この突起が入射面２Ａとほぼ直交する方向に延長するように配置される。
【００１２】
これによりプリズムシート５及び６は、この三角形形状の突起の斜面で、出射光の主たる出射方向を出射面２Ｃの正面方向に補正する。なおプリズムシートとしては、両面にプリズム面を形成した構造のいわゆる両面プリズムシートを用いる場合もある。これによりこのサイドライト型面光源装置１では、ほぼ均一な板厚により光散乱導光板を形成した方式のサイドライト型面光源装置に比して、出射光を正面方向に効率良く出射できるようになされている。
【００１３】
このようなサイドライト型面光源装置１においては、図２２に示すように、入射面２Ａより楔型先端に向かって出射光量を見たとき（図２２（Ａ）及び（Ｂ））、入射面２Ａの近傍に出射光量の低下した領域ＡＲ１が形成される。この光量分布は、光散乱導光板２に混入する微粒子の濃度により変化するものの、単に濃度を変化させただけでは、この光量分布の傾向を完全に除去できない。また入射面近傍の出射光量の低減する領域ＡＲ１は、蛍光ランプ７の電極７Ａ、７Ｂの近傍で入射面２Ａからの入射光量が減少することによっても、電極７Ａ、７Ｂに対応する隅部で面積が増大するようになる。
【００１４】
これによりサイドライト型面光源装置１において、光散乱導光板２は、微粒子の濃度を適宜選定すると共に、出射光量の低下する領域ＡＲ１においては、出射面に対する照明光の入射角度が裏面２Ｂで反射して急激に低下するように、裏面２Ｂを緩やかな曲面により形成し、これにより出射光量を均一化するようになされている（図２２（Ｃ））。
【００１５】
また図２３に示すように、光散乱導光板２は、裏面側２Ｂに光散乱パターン９が形成され、この光散乱パターン９により入射面２Ａ側隅部の出射光量を増大するようになされている。すなわち光散乱パターン９は、光散乱性のインクを部分的に付着することにより、又は裏面側２Ｂを部分的に粗面化することにより形成され、裏面２Ｂに入射する照明光を散乱させて、出射面２Ｃに対して臨界角以下の照明光成分を増大させる。
【００１６】
この光散乱パターン９は、一定ピッチＰによりマトリックス状に配置され、各パターン９の面積が入射面２Ａ側隅部に向かうに従って徐々に増大するように形成される。これにより光散乱導光板２は、単位面積における光散乱パターン９の面積が、入射面２Ａ側隅部に向かうに従って徐々に増大するようにして形成される。これによりサイドライト型面光源装置１では、入射面２Ａ側隅部で光量が不足する分、これらの領域では積極的に照明光を出射するようにし、この隅部の光量低下を低減するようになされている。
【００１７】
これに対して図２４は、光散乱導光板１２の裏面１２Ｂにプリズム面を形成したサイドライト型面光源装置１０を示す分解斜視図である。なおこの図２４に示す構成において、図２０について説明したサイドライト型面光源装置１と同一の構成は、対応する符号を付して重複した説明は省略する。
【００１８】
すなわちこのサイドライト型面光源装置１０において、光散乱導光板１２は、図２０について上述した光散乱導光板２と同様に、透光性の微粒子を分散混入して断面楔型形状に形成される。さらに光散乱導光板１２は、裏面１２Ｂに、断面三角形形状の突起が入射面１２Ａに沿って繰り返し形成され、これにより裏面１２Ｂにプリズム面が形成される。これにより光散乱導光板１２は、裏面１２Ｂより漏れ出す照明光の光路をこれら突起の斜面により変更し、出射面１２Ｃより出射される照明光の指向性を補正する。
【００１９】
この図２４に示すような構成のサイドライト型面光源装置１０においては、プリズムシートの枚数を１枚省略して図２０について上述したサイドライト型面光源装置１以上の指向性を得ることができ、またプリズムシートを１枚省略した分、全体構成を簡略化することができ、また照明光の利用効率を向上することができる。
【００２０】
【発明が解決しようとする課題】
ところでこのように光散乱導光板１２の裏面１２Ｂにプリズム面を形成したサイドライト型面光源装置１０においても、入射面１２Ａ側及び入射面１２Ａ側隅部で出射光量の低下する領域ＡＲ１が発生し、これにより発光面の品位が低下する問題がある。
【００２１】
この領域ＡＲ１における出射光量の低下は、光散乱導光板２とプリズムシートとを別体に構成したサイドライト型面光源装置１に比して、側面に沿って大きな領域で発生し、また出射光量の低下も激しい特徴がある。これは裏面１２Ｂに形成された突起の斜面により、突起の繰り返し方向に、照明光の広がりが制限されるためと考えられる。
【００２２】
この場合図２２及び図２３について上述したように、裏面１２Ｂを曲面により形成し、また光散乱パターン９を配置して出射光量を均一化することにより、発光面の品位を向上することが考えられる。
【００２３】
ところがこのサイドライト型面光源装置１０においては、光散乱導光板１２の裏面１２Ｂに突起が繰り返し形成されていることにより、この裏面１２Ｂを曲面により形成しようとすると、設計が極めて煩雑になり、実用上、充分に出射光量を均一化することが困難な問題がある。
【００２４】
これに対して光散乱パターン９の配置により出射光量を均一化する場合、入射面側隅部における出射光量の低下を実用上問題のない程度にまで改善するためには、光散乱パターン９の面積を極めて大きくする必要があり、出射面側より見て、光散乱パターン９が知覚（視認）されるようになる。このように光散乱パターン９が知覚（視認）されると、サイドライト型面光源装置１０においては、その分発光面の品位が著しく低下して観察されることになり、実用上問題となる。
【００２５】
本発明は以上の点を考慮してなされたもので、板状部材の出射面又は裏面にプリズム面を形成する場合でも、品位の高い照明光を出射することができるサイドライト型面光源装置を提案しようとするものである。
【００２６】
【課題を解決するための手段】
かかる課題を解決するため請求項１の発明においては、所定の光源から射出された照明光を板状部材の端面から入射し、前記照明光を屈曲して前記板状部材の出射面より出射するサイドライト型面光源装置に適用して、前記板状部材は、前記端面より遠ざかるに従って板厚が徐々に薄くなり、前記出射面、又は前記出射面と対向する面に、前記端面と略直交する方向に延長する１対の斜面を有する凸部が、前記端面と略平行な方向に繰り返し形成され、前記出射面、又は前記出射面側と対向する面の、少なくとも前記端面に沿った領域に、前記照明光を散乱させる光散乱パターンが複数形成され、前記光散乱パターンは、最大幅が８０〔μｍ〕以下に形成され、単位面積当たりの個数が、前記端面より遠ざかるに従って減少するように形成されてなるようにする。
【００２８】
また請求項２の発明においては、請求項１の構成において、前記光散乱パターンは、前記端面側において、隅部に向かう程、単位面積当たりの個数が増大するように形成されてなるようにする。
【００３０】
また請求項３の発明においては、請求項１又は請求項２の構成において、前記光散乱パターンは、前記出射面、又は前記出射面側と対向する面を、部分的に粗面にして形成されてなるようにする。
【００３１】
また請求項４の発明においては、請求項１又は請求項２の構成において、前記光散乱パターンは、光散乱性のインクを付着して形成されてなるようにする。
【００３２】
また請求項５の発明においては、請求項１、請求項２、請求項３又は請求項４の構成において、前記光散乱パターンは、規則的に配置されてなるようにする。
【００３３】
また請求項６の発明においては、請求項１、請求項２、請求項３又は請求項４の構成において、前記光散乱パターンは、不規則に配置されてなるようにする。
【００３４】
また請求項７の発明においては、請求項６の構成において、前記光散乱パターンは、直交する特定の２方向について配列を観察したとき、一の方向に比して、他の方向において不規則な配置の程度が増大するように配置されてなるようにする。
【００３５】
また請求項８の発明においては、請求項７の構成において、前記他の方向は、前記出射面側に配置されるカラー液晶表示パネルにおいてカラーフィルタが順次循環的に繰り返されてなる方向であるようにする。
【００３６】
また請求項９の発明においては、請求項１、請求項２、請求項３又は請求項４の構成において、前記サイドライト型面光源装置は、前記出射面より出射する前記照明光をカラーフィルタを配置した液晶表示パネルに供給し、前記光散乱パターンは、局所的に、前記カラーフィルタを構成する特定色のカラーフィルタに数が偏って重なり合わないように、不規則に配置されてなるようにする。
【００３７】
また請求項１０の発明においては、液晶表示装置に適用して、請求項１、請求項２、請求項３、請求項４、請求項５、請求項６、請求項７、請求項８又は請求項９に記載のサイドライト型面光源装置により液晶表示パネルを照明する。
【００３８】
また請求項１１の発明においては、所定の光源から射出された照明光を端面から入射し、前記照明光を屈曲して出射面より出射する導光板に適用して、前記端面より遠ざかるに従って板厚が徐々に薄くなり、前記出射面、又は前記出射面と対向する面に、前記端面と略直交する方向に延長する１対の斜面を有する凸部が、前記端面と略平行な方向に繰り返し形成され、前記出射面、又は前記出射面側と対向する面の、少なくとも前記端面に沿った領域に、前記照明光を散乱させる光散乱パターンが複数形成され、前記光散乱パターンは、最大幅が８０〔μｍ〕以下に形成され、単位面積当たりの個数が、前記端面より遠ざかるに従って減少するように形成されてなるようにする。
【００４０】
また請求項１２の発明においては、請求項１１の構成において、前記光散乱パターンは、前記端面側において、隅部に向かう程、単位面積当たりの個数が増大するように形成されてなるようにする。
【００４３】
また請求項１３の発明においては、請求項１１又は請求項１２の構成において、前記光散乱パターンは、前記出射面、又は前記出射面側と対向する面を、部分的に粗面にして形成されてなるようにする。
【００４４】
また請求項１４の発明においては、請求項１１又は請求項１２の構成において、前記光散乱パターンは、光散乱性のインクを付着して形成されてなるようにする。
【００４５】
また請求項１５の発明においては、請求項１１、請求項１２、請求項１３又は請求項１４の構成において、前記光散乱パターンは、規則的に配置されてなるようにする。
【００４６】
また請求項１６の発明においては、請求項１１、請求項１２、請求項１３又は請求項１４の構成において、前記光散乱パターンは、不規則に配置されてなるようにする。
【００４７】
また請求項１７の発明においては、請求項１６の構成において、前記光散乱パターンは、直交する特定の２方向について配列を観察したとき、一の方向に比して、他の方向において不規則な配置の程度が増大するように配置されてなるようにする。また請求項１８の発明においては、請求項１７の構成において、前記他の方向は、前記出射面側に配置されるカラー液晶表示パネルにおいてカラーフィルタが順次循環的に繰り返されてなる方向であるようにする。
【００４８】
また請求項１９の発明においては、請求項１１、請求項１２、請求項１３又は請求項１４の構成において、前記導光板は、前記出射面より出射する前記照明光をカラーフィルタを配置した液晶表示パネルに供給し、前記光散乱パターンは、局所的に、前記カラーフィルタを構成する特定色のカラーフィルタに数が偏って重なり合わないように、不規則に配置されてなるようにする。
【００４９】
請求項１の構成によれば、サイドライト型面光源装置の板状部材において、前記端面より遠ざかるに従って板厚が徐々に薄くなることにより、内部を伝搬する照明光が出射面、出射面と対向する面で反射する毎に、出射面に対する入射角が小さくなり、この入射角が臨界角以下となると、ついには出射面から出射される。このようにして照明光を出射するにつき、前記出射面、又は前記出射面と対向する面に、前記端面と略直交する方向に延長する１対の斜面を有する凸部が、端面と略平行な方向に繰り返し形成されてなるようにすれば、この板状部材の凸部により、照明光の指向性を補正することができる。このとき前記出射面、又は前記出射面側と対向する面の、少なくとも前記端面に沿った領域に、前記照明光を散乱させる光散乱パターンが複数形成され、前記光散乱パターンは、単位面積当たりの個数が、前記端面より遠ざかるに従って減少するように形成されてなるようにすれば、この光散乱パターンにより出射光が減少する端面側において照明光の出射を促し、端面側より先端側に向かう出射光量分布を補正することができる。このとき光散乱パターンを、最大幅が８０〔μｍ〕以下により形成することにより、この光散乱パターンが出射面より観察（視認）されてなる発光面の著しい品位の低下を有効に回避することができる。
【００５１】
また請求項２の構成によれば、請求項１の構成において、前記光散乱パターンは、前記端面側において、隅部に向かう程、単位面積当たりの個数が増大するように形成されてなることにより、光量の不足する隅部に向かう程、板状部材の内部を伝搬する照明光を散乱させ、出射光量を増大させることができる。
【００５３】
また請求項３の構成によれば、請求項１又は請求項２の構成において、前記光散乱パターンは、前記出射面、又は前記出射面側と対向する面を、部分的に粗面にして形成されてなることにより、知覚困難な大きさにより光散乱パターンを形成して、入射面側隅部の出射光量を増大させることができる。
【００５４】
また請求項４の構成によれば、請求項１又は請求項２の構成において、前記光散乱パターンは、光散乱性のインクを付着して形成されても、知覚困難な大きさにより光散乱パターンを形成することができる。
【００５５】
また請求項５の構成によれば、請求項１、請求項２、請求項３又は請求項４の構成において、前記光散乱パターンは、規則的に配置されてなることにより、目視した際のざらつき感を低減することができる。
【００５６】
また請求項６の構成によれば、請求項１、請求項２、請求項３又は請求項４の構成において、前記光散乱パターンは、不規則に配置されてなることにより、規則的な配置によるモアレ縞の発生を有効に回避することができる。
【００５７】
また請求項７の構成によれば、請求項６の構成において、前記光散乱パターンは、直交する特定の２方向について配列を観察したとき、一の方向に比して、他の方向において不規則な配置の程度が増大するように配置されてなることにより、この他の方向を液晶表示パネルにおいてカラーフィルタが順次循環的に繰り返されてなる方向に設定して、特定色のカラーフィルタに偏って光散乱パターンが重なり合わないようにでき、カラー液晶表示パネルと組み合わせた場合におけるモアレ縞の発生を防止することができる。
【００５８】
また請求項８の構成によれば、請求項７の構成において、前記他の方向は、前記出射面側に配置されるカラー液晶表示パネルにおいてカラーフィルタが順次循環的に繰り返されてなる方向であることにより、カラー液晶表示パネルと組み合わせた場合におけるモアレ縞の発生を防止することができる。
【００５９】
また請求項９の構成によれば、請求項１、請求項２、請求項３又は請求項４の構成において、前記サイドライト型面光源装置は、前記出射面より出射する前記照明光をカラーフィルタを配置した液晶表示パネルに供給し、前記光散乱パターンは、局所的に、前記カラーフィルタを構成する特定色のカラーフィルタに数が偏って重なり合わないように、不規則に配置されても、カラー液晶表示パネルと組み合わせた場合におけるモアレ縞の発生を防止することができる。
【００６０】
また請求項１０の構成によれば、液晶表示装置に適用して、請求項１、請求項２、請求項３、請求項４、請求項５、請求項６、請求項７、請求項８又は請求項９に記載のサイドライト型面光源装置により液晶表示パネルを照明して、これら光散乱パターンを認識困難な高品位の照明光、さらにはモアレ縞の発生を防止できる高品位の照明光により液晶表示パネルを照明でき、これにより高品位の表示画像を形成することができる。
【００６１】
また請求項１１の構成によれば、導光板に適用して、前記端面より遠ざかるに従って板厚が徐々に薄くなることにより、内部を伝搬する照明光が出射面、出射面と対向する面で反射する毎に、出射面に対する入射角が小さくなり、この入射角が臨界角以下となると、ついには出射面から出射される。このようにして照明光を出射するにつき、前記出射面、又は前記出射面と対向する面に、前記端面と略直交する方向に延長する１対の斜面を有する凸部が、前記端面と略平行な方向に繰り返し形成されるようにすれば、この板状部材の凸部により、照明光の指向性を補正することができる。このとき前記出射面、又は前記出射面側と対向する面の、少なくとも前記端面に沿った領域に、前記照明光を散乱させる光散乱パターンが複数形成され、前記光散乱パターンは、最大幅が８０〔μｍ〕以下に形成され、単位面積当たりの個数が、前記端面より遠ざかるに従って減少するように形成されてなることにより、出射光が減少する端面側において照明光の出射を促し、端面側より先端側に向かう出射光量分布を補正することができ、このときこの光散乱パターンが出射面より観察（視認）されてなる発光面の著しい品位の低下を有効に回避することができる。
【００６３】
また請求項１２の構成によれば、請求項１１の構成において、前記光散乱パターンは、前記端面側において、隅部に向かう程、単位面積当たりの個数が増大するように形成されてなることにより、光量の不足する隅部に向かう程、出射光量を増大させることができる。
【００６６】
また請求項１３の構成によれば、請求項１１又は請求項１２の構成において、前記光散乱パターンは、前記出射面、又は前記出射面側と対向する面を、部分的に粗面にして形成されてなることにより、知覚困難な大きさにより光散乱パターンを形成することができる。
【００６７】
また請求項１４の構成によれば、請求項１１又は請求項１２の構成において、前記光散乱パターンは、光散乱性のインクを付着して形成されても、知覚困難な大きさにより光散乱パターンを形成することができる。
【００６８】
また請求項１５の構成によれば、請求項１１、請求項１２、請求項１３又は請求項１４の構成において、前記光散乱パターンは、規則的に配置されてなるようにすれば、目視した際のざらつき感を低減することができる。
【００６９】
また請求項１６の構成によれば、請求項１１、請求項１２、請求項１３又は請求項１４の構成において、前記光散乱パターンは、不規則に配置されてなることにより、規則的な配置によるモアレ縞の発生を有効に回避することができる。
【００７０】
また請求項１７の構成によれば、請求項１６の構成において、前記光散乱パターンは、直交する特定の２方向について配列を観察したとき、一の方向に比して、他の方向において不規則な配置の程度が増大するように配置されてなることにより、この他の方向を液晶表示パネルのカラーフィルタの繰り返し方向に設定して、特定色のカラーフィルタに偏って光散乱パターンが重なり合わないようにでき、カラー液晶表示パネルと組み合わせた場合におけるモアレ縞の発生を防止することができる。また請求項１８の構成によれば、請求項１７の構成において、前記他の方向は、前記出射面側に配置されるカラー液晶表示パネルにおいてカラーフィルタが順次循環的に繰り返されてなる方向であることにより、カラー液晶表示パネルと組み合わせた場合におけるモアレ縞の発生を防止することができる。
【００７１】
また請求項１９の構成によれば、請求項１１、請求項１２、請求項１３又は請求項１４の構成において、前記導光板は、前記出射面より出射する前記照明光をカラーフィルタを配置した液晶表示パネルに供給し、前記光散乱パターンは、局所的に、前記カラーフィルタを構成する特定色のカラーフィルタに数が偏って重なり合わないように、不規則に配置されてなることにより、カラー液晶表示パネルと組み合わせた場合におけるモアレ縞の発生を防止することができる。
【００７２】
【発明の実施の形態】
以下、適宜図面を参照しながら本発明の実施の形態を詳述する。
【００７３】
（１）第１の実施の形態
図２は、図２０との対比により本発明の実施の形態に係るサイドライト型面光源装置を示す分解斜視図である。このサイドライト型面光源装置２０は、光散乱導光板２２の端部に一次光源３を配置し、反射シート２１、光散乱導光板２２、光制御部材でなるプリズムシート５、光散乱シート２３を順次積層して形成される。なおこのサイドライト型面光源装置２０において、図２０について上述したサイドライト型面光源装置１と同一の構成は、対応する符号を付して示し、重複した説明は省略する。
【００７４】
ここでこのサイドライト型面光源装置２０において、反射シート２１は、照明光Ｌに対して高い反射率を示すように、銀を蒸着した正反射部材でなるシート材が適用される。これにより反射シート２１は、光散乱導光板２２の裏面２２Ｂより漏れ出す照明光を効率良く光散乱導光板２２の内部に戻し、照明光の利用効率を向上する。
【００７５】
光散乱シート２３は、弱い光拡散性を示すシート状部材により構成され、プリズムシート５により出射される照明光を散乱させ、これにより出射光の指向性を緩和する。
【００７６】
光散乱導光板２２は、断面楔型形状の導光板で、例えばポリメチルメタクリレートからなるマトリックス中に、これと屈折率の異なる透光性の微粒子が一様に分散混入されて形成される。これにより光散乱導光板２２は、入射面２２Ａより照明光Ｌを入射し、透光性の微粒子により散乱させながら、裏面２２Ｂと出射面２２Ｃとの間を繰り返し反射して照明光Ｌを伝搬する。
【００７７】
さらに光散乱導光板２２は、裏面２２Ｂにプリズム面が形成される。すなわち光散乱導光板２２は、矢印Ｆにより部分的に拡大して示すように、裏面２２Ｂに、入射面と平行に、微小な凸部が繰り返し形成される。ここでこの微小な凸部は、入射面２２Ａと直交する方向に延長する１対の斜面２２Ｅ、２２Ｆを有し、この実施の形態ではこの１対の斜面２２Ｅ、２２Ｆが直接接続されて、断面三角形形状に形成される。これらの凸部は、斜面２２Ｅ、２２Ｆの成す角度（頂角）が約１００度になるように形成される。なおこの角度は、５０〜１３０度の範囲で適宜選定して実用に供する特性を得ることができる。これにより光散乱導光板２２は、入射面２２Ａと平行な面内において、出射光の指向性を出射面２２Ｃの正面方向に補正する。
【００７８】
かくするにつきサイドライト型面光源装置２０では、矢印Ｇにより部分的にプリズムシート５を拡大して示すように、光散乱導光板２２の出射面２２Ｃと対向する側の面に、この裏面２２Ｂにおける凸部の繰り返し方向と直交する方向にプリズムシート５の凸部が繰り返し形成されていることにより、光散乱導光板２２より出射された照明光について、このプリズムシート５により入射面２２Ａと直交する方向の指向性を補正する。なお、このプリズムシート５の凸部の頂角は、例えば３０〜７０度の範囲で適宜角度を選定して実用に供する特性を得ることができる。また凸部の形状については、要求される特性に応じて、対称形状又は非対称形状に適宜選定される。
【００７９】
さらに光散乱導光板２２は、図１に示すように、出射面２２Ｃに光散乱パターン２４が形成される。ここで光散乱パターン２４は、マット面処理により、出射面を部分的に円形形状に粗面化して形成される。なおこの粗面領域（光散乱パターン２４）は、図１において矢印Ｌ及びＭにより断面形状を拡大して示すように、ドーム形状又は円柱形状等により形成される。さらに光散乱パターン２４は、出射面側より見て知覚困難な小径により形成され、この実施の形態では直径５０〔μｍ〕により形成される。さらに光散乱パターン２４は、図２４について上述した出射光量が低下する領域ＡＲ１においては、この光量の低下に対応するように単位面積当たりの個数が増大するように形成される。
【００８０】
すなわち光散乱パターン２４は、この光散乱導光板２２において、蛍光ランプ７の電極７Ａ及び７Ｂに対応する入射面２２Ａ側の隅部、この隅部より入射面２２Ａに沿った入射面２２Ａの近傍、この隅部より側面に沿って徐々に幅が狭くなる領域ＡＲ１において、単位面積当たりの個数が増大するように形成される。これにより光散乱導光板２２においては、出射光量が低下する領域では、出射面２２Ｃにおいて照明光の散乱の程度を増大させ、これにより出射光量を増大させる。
【００８１】
具体的に、光散乱導光板２２は、図３に示すように、出射面２２Ｃに光散乱パターン２４を何ら形成しない場合の出射光量分布が測定され、この測定した光量分布より、所定の単位面積当たりに配置する光散乱パターン２４の面積（以下被覆率と呼ぶ）が、出射面２２Ｃの全面について計算される。なおこの図３においては、出射光量を２００〔ｃｄ／ｍｍ2 〕ピッチの等高線により示す。
【００８２】
入射面２２Ａに垂直な中心線Ｙ−Ｙ上における被覆率を図４に示すように、この光散乱導光板２２は、この中心線Ｙ─Ｙ上における出射光量を均一化するように、この中心線Ｙ─Ｙ上における被覆率に応じてマトリックス状に光散乱パターン２４を配置してなるピッチＰが計算され、このピッチＰにより出射面２２Ｃの全面にマトリックス状に光散乱パターン２４が配置される。これにより光散乱導光板２２は、一辺の長さが入射面側より楔型先端に向かって変化する、一辺の長さＰによる正方形形状を順次配置し、各正方形形状の１の頂点に光散乱パターン２４が順次配置されることになる。
【００８３】
入射面２２Ａに平行な仮想線Ｘ１−Ｘ１、Ｘ２−Ｘ２上における被覆率を図５に示すように、さらに光散乱導光板２２は、このようにマトリックス状に配置して、側面近傍で不足する被覆率を補うように、この入射面に沿った方向の各被覆率に応じて、このマトリックス状の配置に加えて、ランダムな配置による光散乱パターン２４が配置される。
【００８４】
これらにより光散乱パターン２４は、領域ＡＲ１以外の領域においては、一定なピッチＰによりマトリックス状に配置される。これに対して領域ＡＲ１においては、楔型先端に向かう方向についての出射光量の変化をピッチＰの変化により補正し、またランダムに配置することにより入射面２２Ａに沿った方向の出射光量の変化を補正するようになされている。
【００８５】
かくするにつき、図３との対比により図６に示すように、このサイドライト型面光源装置においては、入射面側隅部における出射光量の低下を充分に低減することができた。
【００８６】
以上の構成において、蛍光ランプ７から射出された照明光Ｌは（図２１）、直接に、又はリフレクタ８で反射した後、入射面２２Ａより光散乱導光板２２の内部に入射し、裏面２２Ｂと出射面２２Ｃとの間で反射を繰り返して光散乱導光板２２の内部を伝搬する。このときこの照明光Ｌは、裏面２２Ｂで反射する毎に出射面２２Ｃに対する入射角が低下し、出射面２２Ｃに対して臨界角以下の成分が出射面２２Ｃより出射される。
【００８７】
さらにこのとき照明光は、光散乱導光板２２の出射面２２Ｃに形成された光散乱パターン２４により拡散されて出射面２２Ｃからの出射が促される。また光散乱導光板２２の裏面２２Ｂより漏れ出す照明光が、裏面２２Ｂ側に配置された正反射部材でなる反射シート２１により反射されて効率良く光散乱導光板２２の内部に戻され、これにより効率良く出射面２２Ｃより出射される。
【００８８】
また裏面２２Ｂに形成された斜面２２Ｅ、２２Ｆにより、入射面２２Ａに沿った方向の指向性が補正されて射出され、プリズムシート５によりこれと直交する方向の指向性が補正される。
【００８９】
このようにして斜面２２Ｅ、２２Ｆにより入射面２２Ａに沿った方向の指向性が補正されるにつき、裏面２２Ｂを平坦な面により形成した場合に比して、光散乱導光板２２の内部を伝搬する照明光は、入射面２２Ａに沿った方向への広がりが低下し、これにより一様なピッチＰにより光散乱パターン２４を形成した場合には、入射面２２Ａからの入射光量が少ない、入射面２２Ａ側隅部で出射光量が格段的に低減することになる。また入射面２２Ａ近傍においても、出射光量が低下することになる。
【００９０】
またこの光量の低下する入射面２２Ａ側隅部において、光散乱パターンを大型化して出射光量を増大すると、この光散乱パターンが出射面２２Ｃ側より観察されて、発光面の品位が著しく低下することになる。
【００９１】
ところがこの実施の形態においては、知覚困難な直径５０〔μｍ〕の大きさにより光散乱パターン２４が形成され、さらに単位面積当たりの個数が入射面２２Ａ側で増大するように光散乱パターン２４が配置されていることにより、出射面２２Ｃ側より光散乱パターン２４を観察困難にして、入射面２２Ａ近傍における出射光量の低下が補われる。
【００９２】
またこの光散乱パターン２４が、入射面に沿った方向については、マトリック状の配置に加えて、ランダムに配置され、これにより入射面隅部より、側面に沿った出射光量の低下が補正される。これにより高品位の照明光が出射される。
【００９３】
またこのようにして入射面２２Ａ近傍においては、密に光散乱パターン２４が形成されていることにより、照明光により明るく照らし出されてなる入射面２２Ａの上下エッジ等を出射面２２Ｃから観察困難にすることができ、いわゆる輝線の発生も有効に回避される。
【００９４】
すなわち図７に示すように、この種のサイドライト型面光源装置においては、入射面２２Ａの上下エッジＥＵ及びＥＬが照明光により明るく照らし出され、この上下エッジＥＵ及びＥＬを明るく照らし出した照明光が光散乱導光板２２の内部を繰り返し伝搬する。これにより入射面２２Ａ側近傍に、輝線が繰り返し観察され、その分発光面の品位が低下する。また入射面近傍においては、両面テープ等によりプリズムシート等を固定する場合があり、このような両面テープが照明光により明るく照らし出され、これが出射面より明るい帯状の領域等として観察される場合がある。このような輝線、明るい帯状の領域は、入射面より遠ざかると、徐々に他の部分と判別困難になる特徴がある。
【００９５】
これに対してこの実施の形態においては、出射面に光散乱パターン２４が形成され、しかもこの光散乱パターン２４が入射面２２Ａ側で密に形成されていることにより、この種の輝線、帯状領域を発生させる照明光を散乱して、輝線、帯状領域を知覚困難にすることができ、これにより発光面の品位を向上することができる。
【００９６】
さらに出射面２２Ｃの全面に光散乱パターン２４が形成されていることにより、プリズムシート５の出射面２２Ｃへの貼り着きも有効に回避される。
【００９７】
すなわち図８に示すように、出射面を鏡面により形成すると、プリズムシート５においては、突起の頂点が光散乱導光板２２の出射面に密着する。他の領域ではプリズムシート５等の内部反射等により、例えば光散乱導光板２２の内部に戻される照明光Ｌ１が、この密着した領域においては、プリズムシート５より光散乱シート２３側に出射されることになる。このようにして光散乱シート２３側に出射される照明光は、出射面の発光ムラとして観察され、発光面の品位を低下させることになる。
【００９８】
ところが図９に示すように、この実施の形態においては、出射面に光散乱パターン２４を形成したことにより、突起の頂点が光散乱導光板２２の出射面に密着しないようにすることができ、この種の発光ムラを有効に回避することができる。
【００９９】
さらにサイドライト型面光源装置２０では、入射面２２Ａから楔型先端側に向かっては光散乱パターン２４の規則的な配置により、入射面２２Ａに沿った方向については、不規則的な光散乱パターンの配置により出射光量を均一化したことにより、モアレ、ざらつき感の発生を有効に回避することができる。
【０１００】
すなわち、光散乱パターン２４を入射面に沿った方向、楔型先端に向かう方向の双方について、規則的に配置したところ、他の部材との関係（突起の繰り返しピッチ等）により、モアレが発生することが分かった。また双方について不規則に配置すると出射面がざらつくように観察されることが分かった。これによりサイドライト型面光源装置２０では、一方向については、規則的な配置により、他の一方向については、不規則な配置により、高品位の照明光を出射する。
【０１０１】
以上の構成によれば、知覚困難な直径５０〔μｍ〕の大きさにより光散乱パターン２４を形成し、単位面積当たりの個数が入射面２２Ａ側で増大するように光散乱パターン２４を配置したことにより、裏面２２Ｂにプリズム面を形成しても、出射面２２Ｃ側より光散乱パターン２４を観察困難にして、且つ出射光量を均一化することができる。またマトリックス状の配置に加えて、ランダムな配置により単位面積当たりの個数が隅部側、側面側で増大するように、光散乱パターン２４を配置したことにより、光散乱パターン２４を観察困難にして、入射面２２Ａ隅部、側面側における出射光量の低下を補うことができ、これにより高品位の照明光を出射することができる。
【０１０２】
また入射面近傍においては、輝線等の原因でなる照明光を散乱させることができ、これにより輝線等の発生を有効に回避して高品位の照明光を出射することができる。
【０１０３】
さらに出射面において、プリズムシートの貼り付きを有効に回避でき、プリズムシートの貼り付きによる発光ムラを有効に回避して、高品位の照明光を出射することができる。
【０１０４】
また一方向については、規則的な光散乱パターンの配置により、入射面に沿った他の方向については、不規則な光散乱パターンの配置により出射光量を均一化したことにより、モアレ、ざらつき感の発生を有効に回避して高品位の照明光を出射することができる。
【０１０５】
（２）第２の実施の形態
図１０は、本発明の第２の実施の形態に係る光散乱導光板３２を裏面３２Ｂ側より見て示す平面図である。この実施の形態に係るサイドライト型面光源装置は、図２について上述した構成において、光散乱導光板２２に代えて、この光散乱導光板３２が適用される。
【０１０６】
ここでこの光散乱導光板３２は、出射面が一様に粗面に形成され、これによりプリズムシート５の貼り着きを有効に回避できるようになされている。
【０１０７】
さらに光散乱導光板３２は、裏面３２Ｂに、１対の斜面３２Ｅ、３２Ｆによる断面三角形形状の凸部が、入射面３２Ａと平行に繰り返し形成され、これにより裏面にプリズム面が形成されてこのプリズム面により出射光の指向性を補正する。なおこの図１０においては、斜面３２Ｅ、３２Ｆによる谷線及び山線をそれぞれ破線及び一点鎖線により示す。さらに光散乱導光板３２は、この裏面３２Ｂに、第１の実施の形態と同様の配置により光散乱パターン２４が配置される。これにより光散乱導光板３２は、出射光量を均一化し、また輝線の発生を有効に回避するようになされている。
【０１０８】
図１０に示す構成によれば、光散乱導光板３２の裏面３２Ｂにプリズム面を形成すると共に、光散乱パターン２４を形成する場合でも、第１の実施の形態と同様の効果を得ることができる。
【０１０９】
（３）第３の実施の形態
図１１は、図２との対比により本発明の第３の実施の形態に係るサイドライト型面光源装置を示す分解斜視図である。この実施の形態において、図２について上述したサイドライト型面光源装置２０と同一の構成は、対応する符号を付して示し、重複した説明は省略する。
【０１１０】
このサイドライト型面光源装置４０において、プリズムシート４１は、光散乱導光板４２の出射面４２Ｃと対向する側の面がプリズム面になるように、またプリズム面における突起の繰り返し方向が光散乱導光板４２の入射面４２Ａと垂直な方向になるように配置される。
【０１１１】
光散乱導光板４２は、第１の実施の形態と同様に、透光性の微粒子を分散混入して形成され、出射面４２Ｃに、１対の斜面４２Ｅ及び４２Ｆによる断面三角形形状の突起が、入射面４２Ａに沿った方向に繰り返し形成される。これにより光散乱導光板４２は、出射面４２Ｃにプリズム面が形成され、このプリズム面により出射光の指向性を補正する。さらに光散乱導光板４２は、裏面４２Ｂに、上述の第１の実施の形態と同様の配置による光散乱パターン２４が形成される。
【０１１２】
図１１に示す構成によれば、出射面側にプリズム面を形成する場合に、裏面に光散乱パターンを形成しても、第１の実施の形態と同様の効果を得ることができる。
【０１１３】
（４）第４の実施の形態
図１２は、本発明の第４の実施の形態に係る光散乱導光板５２を出射面５２Ｃ側より見て示す平面図である。この実施の形態に係るサイドライト型面光源装置においては、図２について上述した構成において、光散乱導光板２２に代えて、この光散乱導光板５２が適用される。
【０１１４】
この光散乱導光板５２は、第１の実施の形態の光散乱導光板２２と同様に、透光性の微粒子を分散混入して形成され、裏面にプリズム面が形成される。さらに光散乱導光板５２は、光散乱パターン２４がランダムな配置により出射面５２Ｃに配置される。
【０１１５】
すなわちこの光散乱導光板５２において、光散乱パターン２４は、図１について上述したピッチＰによるマトリックス状の配置から、乱数を用いて変位させた位置に配置される。これにより光散乱導光板５２は、不規則に光散乱パターン２４が配置されて、規則的な配置によるモアレ縞の発生を有効に回避できるようになされている。
【０１１６】
すなわち、不規則な配置による場合は、出射面にざらつきが見られるが、これは、光散乱パターンの密度、大きさ等によって変化する。これに対して光散乱パターンの規則的な配置によるモアレは、他の部材との相対的な関係により、また光散乱パターンのピッチ等により変化する。
【０１１７】
これによりサイドライト型面光源装置においては、上述の第１の実施の形態における光散乱パターンの配置では、モアレが発生する場合があり、このような場合に、この実施の形態に係る光散乱パターンの配置によりモアレの発生を有効に回避することができる。
【０１１８】
図１２に示す構成によれば、不規則な配置により光散乱パターンを配置することにより、第１の実施の形態の効果に加えて、モアレ縞の発生を有効に回避することができる。
【０１１９】
（５）第５の実施の形態
図１３は、図１との対比により本発明の第５の実施の形態に係る光散乱パターン２４の配列を示す平面図である。この実施の形態に係るサイドライト型面光源装置においては、第１〜第４の実施の形態について上述した何れかの光散乱導光板において、この光散乱パターン２４の配列が適用される。
【０１２０】
すなわちこの実施の形態において、光散乱パターン２４は、一様なピッチにより光散乱パターン２４を形成した場合の出射光量分布が測定され、この測定した光量分布より、全面について被覆率が計算される。光散乱パターン２４は、この被覆率より、入射面２２Ａに垂直な、光散乱導光板２２の中心線上において、出射光量の変化を補正するように、マトリックス状に光散乱パターン２４を配置してなるピッチＰｘ及びＰｙが計算される。
【０１２１】
さらに光散乱パターン２４は、入射面に沿った方向のピッチＰｘがそれぞれ補正されて、このようにマトリックス状に配置して不足する側面近傍の被覆率が補正され、このようにして算出したピッチＰｘ及びＰｙにより配置される。これにより光散乱パターン２４は、中央近傍より楔型先端の領域においては、ピッチＰによりマトリックス状に配置される。また入射面近傍から入射面側側面近傍の領域（図１について上述した領域ＡＲ１）においては、隣接する光散乱パターンとの間隔が徐々に変化するように配置されて出射光量の低下を補正する。
【０１２２】
図１３に示す構成によれば、規則的に光散乱パターンを配置しても、第１〜第４の実施の形態と同様の効果を得ることができ、さらに出射面のざらつきを低減することができる。
【０１２３】
（６）第６の実施の形態
図１４は、図１３との対比により本発明の第６の実施の形態に係る光散乱パターン２４の配列を示す平面図である。この実施の形態に係るサイドライト型面光源装置においては、第５の実施の形態について上述した光散乱パターン２４の配列に代えて、この光散乱パターン２４の配列が適用される。
【０１２４】
すなわちこの実施の形態において、光散乱パターン２４は、計算された被覆率より、入射面２２Ａに垂直な、光散乱導光板２２の中心線上において、出射光量の変化を補正するように、マトリックス状に光散乱パターン２４を配置してなるピッチが計算され、この計算されたピッチによりマトリックス状に配置される。
【０１２５】
さらに光散乱パターン２４は、入射面に沿った方向について、直径が補正され、このようにマトリックス状に配置して不足する側面近傍の被覆率が補正される。これによりこの実施の形態では、入射面側より楔型先端に向かう方向については、光散乱パターンの密度により出射光量を均一化し、またこれと垂直な入射面に沿った方向については、光散乱パターンの大きさにより出射光量を均一化する。なおこのとき光散乱パターン２４は、出射面側より知覚困難な直径８０〔μｍ〕以下の大きさにより形成される。
【０１２６】
図１４に示す構成によれば、入射面側隅部に向かう程、単位面積当たりの個数が増大するように光散乱パターンを形成すると共に、併せて光散乱パターンの大きさを拡大しても、第１〜第４の実施の形態と同様の効果を得ることができる。
【０１２７】
（７）第７の実施の形態
図１５は、本発明の第７の実施の形態に係る光散乱導光板６２を出射面６２Ｃ側より見て示す平面図である。この実施の形態に係るサイドライト型面光源装置においては、図２について上述した構成において、光散乱導光板２２に代えて、この光散乱導光板６２が適用される。またこの実施の形態に係るサイドライト型面光源装置は、光散乱導光板６２の入射面の長さに比して充分な長さの蛍光ランプ７が適用される。
【０１２８】
光散乱導光板６２は、第１の実施の形態の光散乱導光板２２と同様に、透光性の微粒子を分散混入して形成され、裏面にプリズム面が形成される。さらに光散乱導光板６２は、光散乱パターン２４がランダムな配置により出射面６２Ｃに配置される。
【０１２９】
すなわちこの光散乱導光板６２において、光散乱パターン２４は、図１について上述したピッチＰにより形成された各枡目の中に乱数に応じて配置される。これにより光散乱導光板６２は、不規則に光散乱パターン２４が配置されて、規則的な配置によるモアレ縞の発生を有効に回避できるようになされている。
【０１３０】
図１５に示す構成によれば、被覆率により形成した各枡目の中に不規則に光散乱パターンを配置するようにしても、第６の実施の形態と同様の効果を得ることができる。
【０１３１】
（８）第８の実施の形態
ところでこのように不規則な配置により光散乱パターンを配置しても、液晶表示パネルに配置した特定色のカラーフィルタに偏って光散乱パターンが重なり合うと、結局モアレ縞が発生することになる。
【０１３２】
すなわち図１６に示すように、赤色（Ｒ）、緑色（Ｇ）、青色（Ｂ）のカラーフィルタが一定のピッチで繰り返されている場合に、上述の実施の形態のように光散乱パターン２４を配置すると、局所的に、例えば赤色のカラーフィルタにだけ重なり合うように光散乱パターン２４が配置されるとモアレ縞が発生する。
【０１３３】
このためこの実施の形態においては、このようにカラーフィルタが順次循環的に繰り返されてなる方向ｘについては、同一色のカラーフィルタが繰り返されてなるｙ方向に比して、不規則な配置の程度が増大するように、光散乱パターン２４を配置する。これにより図１７に示すように、この実施の形態においては、特定色のカラーフィルタに対して光散乱パターン２４が偏って重なり合わないようにし、モアレ縞を防止する。なおこのカラーフィルタの循環的な繰り返し方向ｘは、従来例及び上述の実施の形態について上述した入射面から楔型先端に向かう方向ｘとは何ら無関係の方向である。
【０１３４】
具体的に、この実施の形態においては、図１８に示すように、光拡散パターン２４を形成する領域を長方形形状の領域ＡＲに区切り、これら各領域ＡＲに設定した枡目を基準にして光拡散パターン２４を配置する。このとき被覆率に応じて枡目の大きさを可変し、各枡目に１の光散乱パターン２４を配置することにより、被覆率に対応するように光散乱パターン２４を配置する。さらにこの枡目のｘ方向の長さがｙ方向の長さより短くならないように、ｙ方向に配置する枡目の数、ｘ方向の枡目の長さを設定し、このように設定した各枡目内にランダムに光散乱パターン２４を配置することにより、ｘ方向に不規則な配置の程度が増大するように光散乱パターン２４を配置する。なおここで符号Ｐにより示す点は、枡目の大きさを計算する為に設定された仮の光散乱パターンの配置位置である。
【０１３５】
第８の実施の形態によれば、カラーフィルタが順次循環的に繰り返されてなる方向ｘについては、同一色のカラーフィルタが繰り返されてなるｙ方向に比して、不規則な配置の程度が増大するように光散乱パターン２４を配置して、特定色のカラーフィルタに対して光散乱パターン２４が偏って重なり合わないようにすることにより、カラーフィルタと光散乱パターン２４とによるモアレ縞を防止することができる。また各カラーフィルタ間に配置された枠状のマスクとの間についても、不規則に光散乱パターン２４を配置できることにより、このマスクにより発生するモアレ縞も防止することができる。
【０１３６】
（９）他の実施の形態
なお上述の実施の形態においては、入射面側より楔型先端方向については、入射面近傍で密度が増大するように光散乱パターンを配置する場合について述べたが、本発明はこれに限らず、例えば図１９に示すように、サイドライト型面光源装置においては、入射面側に出射光量の低下した領域ＡＲ１が形成され、続いて若干出射光量の高い領域ＡＲ２が形成される場合があり、このような場合には、入射面側より被覆率を低減した後、楔型先端側で増大させるように、光散乱パターンを形成してもよい。
【０１３７】
また上述の第３の実施の形態においては、光散乱導光板の出射面にプリズム面を形成し、裏面に光散乱パターンを形成する場合について述べたが、本発明はこれに限らず、光散乱導光板の出射面にプリズム面及び光散乱パターンを形成する場合にも広く適用することができる。
【０１３８】
また上述の第４の実施の形態においては、光散乱パターンを不規則な配置により光散乱導光板の出射面に形成する場合について述べたが、本発明はこれに限らず、裏面に形成する場合、さらにはプリズム面と同一面に形成する場合にも広く適用することができる。
【０１３９】
また上述の第８の実施の形態においては、被覆率に応じて細長い枡目を形成し、この枡目内に不規則に光散乱パターンを配置することにより、特定色のカラーフィルタに対して光散乱パターン２４が偏って重なり合わないようにする場合について述べたが、本発明はこれに限らず、光散乱パターンの配置の手法においては、種々の手法を広く適用することができる。すなわち例えば、第１の実施の形態等について上述した手法により不規則に光散乱パターンを仮配置した後、この仮配置した光散乱パターンについて、連続する光散乱パターン間の距離を判定し、特定色のカラーフィルタに連続して光散乱パターンが割り当てられる箇所については、光散乱パターンを再配置することによっても、特定色のカラーフィルタに対して光散乱パターン２４が偏って重なり合わないようにすることができる。
【０１４０】
また上述の第８の実施の形態においては、直交するカラーフィルタの繰り返し方向ｘ及びｙのうち、ｘ方向についてだけ順次循環的にカラーフィルタが繰り返される場合について述べたが、本発明はこれに限らず、ｘ及びｙ方向の双方に順次循環的にカラーフィルタが繰り返される場合にも広く適用することができる。なおこの場合、カラーフィルタの繰り返しピッチを基準にして、仮配置した光散乱パターンを再配置することにより、特定色のカラーフィルタに対して光散乱パターンが偏って重なり合わないようにすることができる。
【０１４１】
また上述の実施の形態においては、直径５０〔μｍ〕の円形形状により光散乱パターンを形成する場合について述べたが、本発明はこれに限らず、最大幅８０〔μｍ〕以下により光散乱パターンを形成して、出射面より知覚できないようにすることができる。
【０１４２】
また上述の実施の形態においては、円形形状により光散乱パターンを形成する場合について述べたが、本発明はこれに限らず、種々の形状により光散乱パターンを形成する場合に広く適用することができる。
【０１４３】
さらに上述の実施の形態においては、最大幅８０〔μｍ〕以下により光散乱パターンを形成する場合について述べたが、本発明はこれに限らず、出射面側に光散乱の程度の大きな光散乱シートを配置して光散乱パターンの視認性を低下させることができるような場合等にあっては、さらに大形の光散乱パターンを形成してもよい。
【０１４４】
また上述の実施の形態においては、出射面にシート状のプリズムシートを配置する場合について述べたが、本発明はこれに限らず、ポリカーボネート（ＰＣ）、ＰＭＭＡ等の透光性の材料によりフレキシビリティーのない所定厚さを持つ板状部材を形成し、このようないわゆるプリズム体をプリズムシートに代えて使用する場合にも広く適用することができる。
【０１４５】
さらに上述の実施の形態においては、光散乱導光板の出射面にプリズムシート、光散乱シートを配置する場合について述べたが、本発明はこれに限らず、必要に応じてこれらの配列順序を入れ換える場合、さらにはこれらの部材を省略する場合等にも広く適用することができる。
【０１４６】
また上述の実施の形態においては、銀を蒸着したシート材でなる正反射部材により反射シートを形成した場合について述べたが、本発明はこれに限らず、種々の正反射部材、さらには白色ＰＥＴ等の乱反射部材により反射シートを形成する場合にも広く適用することができる。
【０１４７】
さらに上述の実施の形態においては、マット面処理により光散乱パターンを形成する場合について述べたが、本発明はこれに限らず、サンドペーパーによるブラスト処理、化学エッチング処理により光散乱パターンを形成する場合、さらには白色インク等の印刷により光散乱パターンを形成する場合等にも、広く適用することができる。
【０１４８】
また上述の実施の形態においては、透光性の微粒子を混入した導光板でなる光散乱導光板を用いる場合について述べたが、本発明はこれに限らず、光散乱導光板に代えて透明部材による導光板を使用する場合にも広く適用することができる。
【０１４９】
さらに上述の実施の形態においては、断面楔型形状の板状部材でなる光散乱導光板を用いたサイドライト型面光源装置に本発明を適用する場合について述べたが、本発明はこれに限らず、平板形状の板状部材により光散乱導光板を構成する方式のサイドライト型面光源装置にも広く適用することができる。
【０１５０】
さらに上述の実施の形態では、一端面より照明光を入射する場合について述べたが、本発明はこれに限らず、併せて他の端面から照明光を入射する構成のサイドライト型面光源装置にも広く適用することができる。
【０１５１】
また上述の実施の形態では、棒状光源でなる蛍光ランプにより一次光源を構成する場合について述べたが、本発明はこれに限らず、発光ダイオード等の点光源を複数配置して一次光源を形成する場合にも広く適用することができる。
【０１５２】
さらに上述の実施の形態では、液晶表示装置の面光源装置に本発明を適用する場合について述べたが、本発明はこれに限らず、種々の照明機器、表示装置等のサイドライト型面光源装置に広く適用することができる。
【０１５３】
【発明の効果】
上述のように本発明によれば、楔型先端側で単位面積当たりの個数を減少させて、板状部材の出射面又はこの出射面と対向する面等に一定の大きさ以下により光散乱パターンを形成することにより、板状部材の出射面又は裏面にプリズム面を形成する場合でも、光散乱パターンを知覚困難にして、且つ出射光量を均一化することができ、これにより高品位の照明光を出射することができるサイドライト型面光源装置と、このサイドライト型面光源装置による液晶表示装置、このサイドライト型面光源装置に適用する導光板を得ることができる。
【０１５４】
また液晶表示パネルのカラーフィルタに対して、局所的に、特定色のカラーフィルタに光散乱パターンが偏って重なり合わないように、光拡散パターンを不規則に配置することにより、高品位の表示画像を形成することができるサイドライト型面光源装置と、このサイドライト型面光源装置による液晶表示装置、このサイドライト型面光源装置に適用する導光板を得ることができる。
【図面の簡単な説明】
【図１】本発明の第１の実施の形態に係るサイドライト型面光源装置に適用される光散乱導光板の出射面を示す平面図である。
【図２】図１の光散乱導光板が適用されるサイドライト型面光源装置を示す分解斜視図である。
【図３】何ら光散乱パターンを形成しない場合の出射光量の分布を示す平面図である。
【図４】図３のＹ−Ｙ線上における被覆率を示す特性曲線図である。
【図５】図３のＸ１−Ｘ１線及びＸ２−Ｘ２線上における被覆率を示す特性曲線図である。
【図６】図１のサイドライト型面光源装置の出射光量の分布を示す平面図である。
【図７】輝線の発生の説明に供する断面図である。
【図８】プリズムシートの貼り付きによる発光ムラの説明に供する断面図である。
【図９】発光ムラの防止の説明に供する断面図である。
【図１０】第２の実施の形態に係るサイドライト型面光源装置に適用される光散乱導光板の裏面を示す平面図である。
【図１１】第３の実施の形態に係るサイドライト型面光源装置を示す分解斜視図である。
【図１２】第４の実施の形態に適用される光散乱導光板を示す平面図である。
【図１３】第５の実施の形態に適用される光散乱導光板の一部を詳細に示す平面図である。
【図１４】第６の実施の形態に適用される光散乱導光板の一部を詳細に示す平面図である。
【図１５】第７の実施の形態に適用される光散乱導光板を示す平面図である。
【図１６】カラーフィルタとの関係によるモアレ縞の説明に供する平面図である。
【図１７】第８の実施の形態に係る光散乱導光板の光散乱パターンの配置の説明に供する平面図である。
【図１８】図１７の配置の説明に供する略線図である。
【図１９】他の実施の形態に係る被覆率を示す特性曲線図である。
【図２０】従来のサイドライト型面光源装置を示す分解斜視図である。
【図２１】図２０をＡ−Ａ線により切り取って示す断面図である。
【図２２】図２０のサイドライト型面光源装置における出射光量の分布の説明に供する特性曲線図である。
【図２３】図２０の光散乱導光板の裏面を示す平面図である。
【図２４】光散乱導光板にプリズム面を形成したサイドライト型面光源装置を示す分解斜視図である。
【符号の説明】
１、１０、２０、４０……サイドライト型面光源装置、２、１２、２２、３２、４２、５２……光散乱導光板、２Ａ、１２Ａ、２２Ａ、３２Ａ、４２Ａ、５２Ａ……入射面、２Ｂ、２２Ｂ、２２Ｂ、３２Ｂ、４２Ｂ、５２Ｂ……裏面、９、２４……光散乱パターン
【図１】
0003654410.tif 000002
【図２】
0003654410.tif 000003
【図３】
0003654410.tif 000004
【図４】
0003654410.tif 000005
【図５】
0003654410.tif 000006
【図６】
0003654410.tif 000007
【図７】
0003654410.tif 000008
【図８】
0003654410.tif 000009
【図９】
0003654410.tif 000010
【図１０】
0003654410.tif 000011
【図１１】
0003654410.tif 000012
【図１２】
0003654410.tif 000013
【図１３】
0003654410.tif 000014
【図１４】
0003654410.tif 000015
【図１５】
0003654410.tif 000016
【図１６】
0003654410.tif 000017
【図１７】
0003654410.tif 000018
【図１８】
0003654410.tif 000019
【図１９】
0003654410.tif 000020
【図２０】
0003654410.tif 000021
【図２１】
0003654410.tif 000022
【図２２】
0003654410.tif 000023
【図２３】
0003654410.tif 000024
【図２４】
0003654410.tif 000025